(57)【要約】【課題】  少ない部品点数で形態を変更することのできる子守帯を提供する。【解決手段】  子守帯は、背当て部３と、ヘッドサポート部４と、１対の側方張出部５と、背当て部３の両側縁に連なって上下方向に延在する１対の側部形成部材６と、１対の側方張出部５の先端と１対の側部形成部材６とを着脱可能に連結する連結手段とを備える。連結手段は、１対の側方張出部５の先端に設けられた先端連結具７と、先端連結具７に係合可能であり１対の側部形成部材６上に設けられた第１連結具８と、先端連結具７に係合可能であり第１連結具８よりも下方の位置で１対の側部形成部材上に設けられた第２連結具９とを含む。先端連結具７と第１連結具８とが係合状態にあるとき、ヘッドサポート部４は背当て部３とほぼ同方向に延在する。先端連結具７と第２連結具９とが係合状態にあるとき、ヘッドサポート部４は、背当て部３に対して起立した形態となる。【選択図】      図２
2005270176.tif 000002
【特許請求の範囲】
【請求項１】
乳幼児の背部を支持するための背当て部と、
乳幼児の頭部を支持するためのものであり、前記背当て部の上方に位置するヘッドサポート部と、
前記ヘッドサポート部の両側部から側方に張り出している１対の側方張出部と、
前記背当て部の両側縁に連なって上下方向に延在する１対の側部形成部材と、
前記１対の側方張出部の先端と前記１対の側部形成部材とを着脱可能に連結する連結手段とを備え、
前記連結手段は、前記１対の側方張出部の先端に設けられた先端連結具と、前記先端連結具に係合可能であり前記１対の側部形成部材上に設けられた第１連結具と、前記先端連結具に係合可能であり前記第１連結具よりも下方の位置で前記１対の側部形成部材上に設けられた第２連結具とを含み、
前記先端連結具と前記第１連結具とが係合状態にあるとき、前記ヘッドサポート部は前記背当て部とほぼ同方向に延在し、
前記先端連結具と前記第２連結具とが係合状態にあるとき、前記ヘッドサポート部は、前記背当て部に対して起立した形態となる、子守帯。
【請求項２】
前記側部形成部材は、前記背当て部の側部に位置して乳幼児の側部を支持する側壁形成部と、背当て部の上端から上方に延びている肩掛け帯部とを含み、前記第１および第２連結具は、側壁形成部および／または肩掛け帯部に設けられている、請求項１に記載の子守帯。
【請求項３】
前記ヘッドサポート部は、前記背当て部の背面上に重なるように折り返し可能である、請求項１または２に記載の子守帯。
【請求項４】
前記背当て部は、背面側において袋状部分を形成する背面カバーと、前記背面カバーの下に出し入れ可能に装着される背当てパッドとを含み、
前記背当てパッドを取り外した状態において、前記背当て部の上方部分は、前記ヘッドサポート部と共に前記背当て部の下方部分の背面上に重なるように折り返し可能である、請求項１〜３のいずれかに記載の子守帯。
【請求項５】
前記１対の側部形成部材上に固着されて上下方向に延びる第１ベルト部材および第２ベルト部材を備え、
前記第１ベルト部材と第２ベルト部材とは、乳幼児の股部を支持する股当て部上で交差し、
前記第１ベルト部材および第２ベルト部材は、それぞれ、その両端に互いに係合する連結具を有し、
前記第１連結具および第２連結具は、前記第１ベルト部材上および第２ベルト部材上に設けられている、請求項１〜４のいずれかに記載の子守帯。
【発明の詳細な説明】
【技術分野】
【０００１】
この発明は、子守帯に関し、特に横抱きおよび縦抱きの両状態に対応できる子守帯に関するものである。
【背景技術】
【０００２】
乳幼児を保持して歩行する際に用いる子守帯としては、乳児の成長に合わせてその保持形態を変更することが好ましい。首が座る前の乳児期には、乳児を寝かせた状態にして横抱きにする形態が好ましい。一方、首がすわって身体が大きくなった段階では、おんぶまたは縦抱きの形態が好ましい。
【０００３】
横抱きの形態で乳児を保持しているとき、乳児の頭頂部が露出するのは安全上好ましくない。そのため、横抱きの形態に適した子守帯の場合、通常、乳児の頭頂部を取り囲む立壁を備えている。一方、おんぶまたは縦抱きの形態に適した子守帯の場合、上記のような立壁の存在は邪魔なものとなる。
【０００４】
上述したような横抱きの形態および縦抱きの形態の両状態を実現できる子守帯が、既にいくつか提案されている。
【０００５】
特開２００３−４０１号公報（特許文献１）は、横抱き、おんぶ、だっこといった複数の保持方法に対し、保持方法に応じた安全性や快適性を付与できる敷材付ベビーキャリア（子守帯）を開示している。この公報に開示されたベビーキャリア（子守帯）では、キャリア本体（子守帯）とは別に２種類の敷材が用意されており、乳児の成長段階に応じてこれらの２種類の敷材を使い分けるようにしている。具体的には、首がすわっていない乳児期には、乳児の頭部を覆う立壁状のガード部を有する敷材を使用する。一方、首がすわって身体が大きくなった乳幼児に対しては、ガード部を有しない敷材を使用する。
【０００６】
特開２０００−２４５５８１号公報（特許文献２）は、子供の成長に合わせて乳児から幼児まで使用できる子守帯を開示している。この公報に開示された子守帯では、子守帯本体とは別に、乳児の頭部の周りを囲む側面立上り部を持つ乳児用ヘッドキープと、側面立上り部を有しない幼児用ヘッドサポートとが用意され、乳幼児の成長段階に応じてこれらの２種類の部品を使い分けるようにしている。具体的には、身体の小さい乳児を横抱きで保持するときに、側面立上り部を持つ乳児用ヘッドキープを子守帯本体に取り付ける。一方、身体が比較的大きい幼児を縦抱きで保持するときに、乳児用ヘッドキープを取り外し、その代わりに幼児用ヘッドサポートを子守帯本体に取り付ける。
【特許文献１】特開２００３−４０１号公報
【特許文献２】特開２０００−２４５５８１号公報
【発明の開示】
【発明が解決しようとする課題】
【０００７】
特開２００３−４０１号公報および特開２０００−２４５５８１号公報に開示された子守帯では、いずれも、子守帯本体とは別に２種類の部品を用意しておき、乳幼児の成長段階に応じてこれらの２種類の部品を使い分けている。
【０００８】
使い易さおよびコスト面を考慮すると、部品点数は少ない方がよい。
【０００９】
この発明の目的は、少ない部品点数で形態を変更することのできる子守帯を提供することである。
【課題を解決するための手段】
【００１０】
この発明に従った子守帯は、乳幼児の背部を支持するための背当て部と、乳幼児の頭部を支持するためのものであり、上記背当て部の上方に位置するヘッドサポート部と、ヘッドサポート部の両側部から側方に張り出している１対の側方張出部と、背当て部の両側縁に連なって上下方向に延在する１対の側部形成部材と、１対の側方張出部の先端と１対の側部形成部材とを着脱可能に連結する連結手段とを備える。連結手段は、１対の側方張出部の先端に設けられた先端連結具と、先端連結具に係合可能であり１対の側部形成部材上に設けられた第１連結具と、先端連結具に係合可能であり第１連結具よりも下方の位置で１対の側部形成部材上に設けられた第２連結具とを含む。先端連結具と第１連結具とが係合状態にあるとき、ヘッドサポート部は背当て部とほぼ同方向に延在する。先端連結具と第２連結具とが係合状態にあるとき、ヘッドサポート部は、背当て部に対して起立した形態となる。
【００１１】
上記構成によれば、１対の側方張出部の先端と１対の側部形成部材との連結位置を変えるだけで、ヘッドサポート部の形態を変更することができる。身体の小さい乳児の場合には、好ましくは、ヘッドサポート部を背当て部に対して起立した状態にし、横抱きで乳児を保持する。身体が大きくなった段階では、好ましくは、ヘッドサポート部を背当て部とほぼ同方向に延在するようにし、縦抱きまたはおんぶの状態で乳幼児を保持する。
【００１２】
側部形成部材は、好ましくは、背当て部の側部に位置して乳幼児の側部を支持する側壁形成部と、背当て部の上端から上方に延びている肩掛け帯部とを含む。この場合、第１および第２連結具は、側壁形成部および／または肩掛け帯部に設けられている。
【００１３】
ヘッドサポート部は、好ましくは、背当て部の背面上に重なるように折り返し可能である。ヘッドサポート部を折り返せば、背当て部よりも上方に位置する領域が開放されるので、身体の大きい乳幼児を縦抱きにしたり、おんぶしたりする場合に、ヘッドサポートの存在が邪魔にならない。
【００１４】
背当て部は、好ましくは、背面側において袋状部分を形成する背面カバーと、背面カバーの下に出し入れ可能に装着される背当てパッドとを含む。背当てパッドを取り外した状態において、背当て部の上方部分は、ヘッドサポート部と共に背当て部の下方部分の背面上に重なるように折り返し可能である。このように折り返せば、背当て部の上方が大きく開放されるので、例えば、乳幼児を前向きにして縦抱きする場合に適した形態となる。
【００１５】
好ましい実施形態では、子守帯は、１対の側部形成部材上に固着されて上下方向に延びる第１ベルト部材および第２ベルト部材を備える。第１ベルト部材と第２ベルト部材とは、乳幼児の股部を支持する股当て部上で交差する。第１ベルト部材および第２ベルト部材は、それぞれ、その両端に互いに係合する連結具を有している。第１連結具および第２連結具は、第１ベルト部材上および第２ベルト部材上に設けられている。第１および第２連結具をベルト部材上に設けているので、側方張出部と側部形成部材との連結構造が強固になる。
【発明を実施するための最良の形態】
【００１６】
図１および図２は、この発明の一実施形態の子守帯の展開状態を示す図であり、図１は子守帯の内側の面を示し、図２は子守帯の外側の面を示している。図３は、背当てパッド１２を取り出した状態を示している。
【００１７】
図４は、ヘッドサポート部４が背当て部３とほぼ同方向に延在している使用形態を示し、図５は、ヘッドサポート部４が背当て部３に対して起立した使用形態を示している。図６は使用状態にある子守帯の前当て部１を正面側から見た図であり、図７は前当て部１の幅方向の広がりを大きくした状態を示している。図８はヘッドサポート部４を背当て部３の背面側に折り返した状態を示し、図９はヘッドサポート部４および背当て部３の上方部分を折り返した状態を示している。
【００１８】
図１０〜図１６は、乳幼児を保持する種々の形態を示している。図１０は横抱き状態を示し、図１１は母親と乳幼児とが対面した縦抱き状態を示している。図１２は、子守帯を保持した母親の背中側の状態を示している。図１３は、図１１に示す状態から、ヘッドサポート部４を折り返した状態を示している。図１４は、おんぶの状態を示している。図１５は、図１４の状態から、ヘッドサポート部４を折り返した状態を示している。図１６は、乳幼児が前方に向いている縦抱き状態を示している。
【００１９】
主に図１および図２を参照して、子守帯の構成を説明する。
【００２０】
図示した実施形態の子守帯は、基本的には一体となった一つの部材からなり、種々の乳幼児保持形態を実現できるようになっている。具体的には、子守帯は、乳幼児の腹部を支持する前当て部１と、前当て部１に連なり乳幼児の股部を支持する股当て部２と、股当て部２に連なり乳幼児の背部を支持する背当て部３と、背当て部３に連なり乳幼児の頭部を支持するヘッドサポート部４と、ヘッドサポート部４の両側部から側方に張り出している１対の側方張出部５と、背当て部３の両側縁に連なって上下方向に延在する１対の側部形成部材６と、１対の側方張出部５の先端と１対の側部形成部材６とを着脱可能に連結する連結手段とを備える。
【００２１】
各側部形成部材６は、背当て部３の側部に位置して乳幼児の側部を支持する側壁形成部６１と、背当て部３の上端から上方に延びている肩掛け帯部６２とを含む。
【００２２】
子守帯は、１対の側部形成部材６上に固着されて上下方向に延びる第１ベルト部材１３および第２ベルト部材１４を備える。第１ベルト部材１３および第２ベルト部材１４は、股当て部２上で交差する。第１および第２ベルト部材１３，１４は、その上下端が肩掛け帯部６２および股当て部２を越えて長く延びており、その両端に互いに係合する連結具を有している。図示する実施形態では、第１ベルト部材１３は、その上端に連結差込具１７を有し、その下端に連結差込具１７と係合する連結受具１８を有している。同様に、第２ベルト部材１４も、その上端に連結差込具１７を有し、その下端に連結差込具１７と係合する連結受具１８を有している。
【００２３】
１対の側方張出部５の先端と１対の側部形成部材６とを着脱可能に連結する連結手段は、１対の側方張出部５の先端に設けられた先端連結具７と、先端連結具７に係合可能であり１対のベルト部材１３，１４上に設けられた第１連結具８と、先端連結具７に係合可能であり第１連結具８よりも下方の位置で１対のベルト部材１３，１４上に設けられた第２連結具９とを含む。１対のベルト部材１３，１４上には、第２連結具９よりも下方の位置に第３連結具１０が設けられている。
【００２４】
図示した実施形態では、第１、第２および第３連結具８，９，１０は子守帯の背面上に露出した留めボタンであり、先端連結具７は、留めボタンを着脱可能に受入れる係合穴を有している。好ましくは、先端連結具７は、表裏反転させても留めボタンに係合し得る構造となっている。他の形態として、先端連結具７を、側方張出部５の先端に自由に回転できるように連結してもよい。
【００２５】
前当て部１の先端部分の両側部には、第３連結具１０に着脱可能に係合する連結具１９が取り付けられている。この連結具１９は、上述した先端連結具７と同じ構造であり、留めボタンを着脱可能に受入れる係合穴を有している。
【００２６】
図３に示すように、背当て部３は、背面側において袋状部分を形成する背面カバー１１と、背面カバー１１の下に出し入れ可能に装着される背当てパッド１２とを含む。図１および図２は背当てパッド１２が装着されている状態を示し、図３は背当てパッド１２を取り外した状態を示している。背面カバー１１の先端は、互いに接合する面ファスナー１５および１６によってその開口部が閉じられるようになっている。背当てパッド１２が背面カバー１１の下に収納されている状態では、背当て部３の剛性が高まる。一方、背当てパッド１２を取り外した状態では、背当て部３の上方部分を背面側に折り返すことが可能となる。
【００２７】
なお、ヘッドサポート部４および１対の側方張出部５は、その内部にパッド等の比較的剛性のある部材を有していて、所定の保形性を発揮する。ヘッドサポート部４は背当て部３に対して屈曲可能であり、また１対の側方張出部５はヘッドサポート部４に対して屈曲可能である。
【００２８】
図１、図２、図６および図７に示すように、前当て部１は、表側の中央の布地を内側に畳み込んだまち部２０と、このまち部２０を閉じるように前当て部１の中央において上下に延びるスライドファスナ２１とを有している。図７に示すようにスライダ２２を下方に引き下げるとまち部２０が露出するようになるので、前当て部１の幅方向長さを大きくすることができる。身体の大きい乳幼児の場合にスライドファスナ２１を開いた状態で使用すれば、乳幼児の腹部を大きな面積となった前当て部１で支持することができる。スライダ２２の引き下げ位置を適宜調節すれば、乳幼児の大きさに適合した背当て部１の面積とすることができる。このように、前当て部１に、まち部２０と、幅方向への広がりを禁止するスライドファスナ２１とを設けることにより、乳幼児の身体の大きさに合わせた腹部部分の容積調整が可能となる。
【００２９】
次に子守帯の種々の使用形態について説明する。
【００３０】
図４は、１対の側方張出部５の先端にある先端連結具７を、最も上方の位置にある第１連結具８に係合させている状態を示している。前当て部１に取り付けられている連結具１９は、最も下方の位置にある第３連結具１０に係合している。図４に示す状態では、ヘッドサポート部４は、背当て部３とほぼ同方向に延在する。図１１に示す対面縦抱き、または図１４に示すおんぶをするとき、図４に示す使用形態とする。図１２は対面縦抱きをしている母親の背面を示しており、１対のベルト部材１３および１４は母親の背中で交差している。
【００３１】
図５は、１対の側方張出部５の先端にある先端連結具７を、中間の位置にある第２連結具９に係合させている状態を示している。この状態では、ヘッドサポート部４は、背当て部３に対して起立した形態となる。図１０に示す横抱きをするとき、図５に示す使用形態とする。起立したヘッドサポート部４および１対の側方張出部５は、乳幼児の頭部の周りを取り囲むので安全上好ましい。
【００３２】
図８は、ヘッドサポート部４を背当て部３の背面上に重なるように折り返し、１対の側方張出部５の先端にある先端連結具７を、最も上方の位置にある第１連結具８に係合させている状態を示している。身体の大きい乳幼児を図１３に示すように対面縦抱きするとき、あるいは図１５に示すようにおんぶするときに、図８に示す使用形態とする。ヘッドサポート部４を折り返すことにより、背当て部３よりも上方に位置する領域が開放されるので、ヘッドサポート部４の存在が邪魔にならない。
【００３３】
図９は、背当てパッド１２を取り外し、背当て部３の上方部分をヘッドサポート部４と共に背当て部３の下方部分の背面上に重なるように折り返し、１対の側方張出部５の先端にある先端連結具７を、中間の位置にある第２連結具９に係合させている状態を示している。図１６に示すように乳幼児を前方に向けて縦抱きをするときには、図９に示す使用形態とし、乳幼児の顔の前の視界を大きく開放する。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、横抱きおよび縦抱きの両状態に対応できる子守帯に有利に利用され得る。
【図面の簡単な説明】
【００３６】
【図１】子守帯の展開状態を示す図であり、内側の面を示している。
【図２】子守帯の展開状態を示す図であり、外側の面を示している。
【図３】子守帯の展開状態を示す図であり、背当てパッドを取り外した状態を示している。
【図４】子守帯の一使用形態を示す図であり、ヘッドサポート部が背当て部とほぼ同方向に延在している状態を示している。
【図５】子守帯の他の使用形態を示す図であり、ヘッドサポート部が背当て部に対して起立している状態を示している。
【図６】使用状態にある子守帯の前当て部を正面側から見た図である。
【図７】前当て部の幅方向の広がりを大きくした状態を示す図である。
【図８】子守帯の他の使用形態を示す図であり、ヘッドサポート部を背当て部の背面側に折り返した状態を示している。
【図９】子守帯の他の使用形態を示す図であり、背当て部の上方部分をヘッドサポート部と共に折り返した状態を示している。
【図１０】横抱きの形態を示す図である。
【図１１】対面縦抱きの形態を示す図である。
【図１２】対面縦抱きのときの母親を背面側から見た図である。
【図１３】ヘッドサポート部を折り返して対面縦抱きをしている形態を示す図である。
【図１４】おんぶの形態を示す図である。
【図１５】ヘッドサポート部を折り返しておんぶをしている形態を示す図である。
【図１６】乳幼児が前方に向いている縦抱き状態を示している。
【符号の説明】
【００３７】
１  前当て部、２  股当て部、３  背当て部、４  ヘッドサポート部、５  側方張出部、６  側部形成部材、６１  側壁形成部、６２  肩掛け帯部、７  先端連結具、８  第１連結具、９  第２連結具、１０  第３連結具、１１  背面カバー、１２  背当てパッド、１３  第１ベルト部材、１４  第２ベルト部材、１５，１６  面ファスナ、１７  連結差込具、１８  連結受具、１９  連結具、２０  まち部、２１  スライドファスナ、２２  スライダ。
【図１】
2005270176.tif 000003
【図２】
2005270176.tif 000004
【図３】
2005270176.tif 000005
【図４】
2005270176.tif 000006
【図５】
2005270176.tif 000007
【図６】
2005270176.tif 000008
【図７】
2005270176.tif 000009
【図８】
2005270176.tif 000010
【図９】
2005270176.tif 000011
【図１０】
2005270176.tif 000012
【図１１】
2005270176.tif 000013
【図１２】
2005270176.tif 000014
【図１３】
2005270176.tif 000015
【図１４】
2005270176.tif 000016
【図１５】
2005270176.tif 000017
【図１６】
2005270176.tif 000018